(57)【要約】【課題】複数のサイトの情報を利用する場合の利便性を向上させること。【解決手段】ＳＮＳサーバ１０が商用サイトサーバ２０へ予め記憶された検索条件を送信し、送信された検索条件に該当する記事を商用サイトサーバ２０が検索し、検索された記事の一覧を商用サイトサーバ２０がＳＮＳサーバ１０へ送信し、ＳＮＳサーバ１０が、会員に対して表示する画面に、送信された一覧を含め、画面において、一覧に含まれる記事の１つが選択された場合に、商用サイトサーバ２０がその記事の内容の表示を会員に対して表示する。【選択図】        図１１
2010039564.tif 000002
【特許請求の範囲】
【請求項１】
会員制の第１のサイトと各種記事を公開する第２のサイトとを連携させるサイト連携方法であって、
前記第１のサイトが前記第２のサイトへ予め記憶された検索条件を送信する検索条件送信工程と、
前記検索条件送信工程において送信された検索条件に該当する記事を前記第２のサイトが前記各種記事から検索する記事検索工程と、
前記記事検索工程において検索された記事の一覧を前記第２のサイトが前記第１のサイトへ送信する一覧送信工程と、
前記第１のサイトが、該サイトの会員に対して表示する画面に、前記一覧送信工程において送信された一覧を含める記事一覧表示工程と、
前記画面において、前記一覧に含まれる記事の１つが選択された場合に、前記第２のサイトが該記事の内容の表示を前記会員に対して表示する記事表示工程と
を含むこと特徴とするサイト連携方法。
【請求項２】
前記記事表示工程において表示された画面に対して前記会員が所定の操作をした場合に、該記事の作成者を検索対象とするための条件を前記検索条件に追加する検索条件追加工程をさらに含むことを特徴とする請求項１に記載のサイト連携方法。
【請求項３】
前記記事表示工程において表示された記事に対して前記会員が作成したコメントを、前記第２のサイトが受信するコメント受信工程と、
前記第２のサイトが前記会員の属性情報を前記第１のサイトから取得する属性情報取得手段と、
前記第２のサイトが前記コメントと前記属性情報を対応付けて記憶手段に記憶させるコメント記憶工程と、
前記各種記事のいずれかの記事を任意の者に対して表示する場合に、表示対象の記事に対して作成されたコメントと、該コメントの作者の属性情報が前記コメント記憶工程において記憶されていた場合に、表示対象の記事とともに該コメントと該属性情報を表示するコメント付き記事表示工程と
をさらに含むこと特徴とする請求項１または２に記載のサイト連携方法。
【請求項４】
前記属性情報取得手段は、前記第２のサイトに記憶されている前記会員の属性情報うち、前記第１のサイトの外部に公開することが許可されている属性情報を取得することを特徴とする請求項３に記載のサイト連携方法。
【請求項５】
前記コメント付き記事表示工程において表示された画面に対して前記任意の者が所定の操作をした場合に、前記第１のサイトが、前記任意の者に対して、前記会員の属性情報であって、前記コメント付き記事表示工程において表示された属性情報とは異なる情報を表示する属性情報表示工程をさらに含むことを特徴とする請求項３または４に記載のサイト連携方法。
【請求項６】
前記第１のサイトは、宣伝活動が禁止されているサイトであり、前記第２のサイトは、宣伝活動が許可されているサイトであることを特徴とする請求項１〜５のいずれか１つに記載のサイト連携方法。
【発明の詳細な説明】
【技術分野】
【０００１】
この発明は、複数のサイトを連携させるサイト連携方法に関し、特に、複数のサイトの情報を利用する場合の利便性を向上させることを可能にするサイト連携方法に関する。
【背景技術】
【０００２】
近年、日記や個人情報などをインターネット上で公開するソーシャル・ネットワーキング・サービス（以下、「ＳＮＳ」という）が広く利用されるようになっている。ＳＮＳは、通常、会員制のサービスであり、会員として登録されているユーザのみが、ＳＮＳサイトにログインして、自身の日記を書いたり、他の会員の日記や個人情報を閲覧したりすることができる。
【０００３】
ＳＮＳにおいては、会員が日記等で紹介した店舗がＳＮＳ内で評判となり、その結果、その店舗の来客数が増大することがしばしばある。このようにＳＮＳ内での口コミ情報が実店舗の来客数の伸びにつながり易いのは、ＳＮＳは会員制である上に、日記等の公開によって、店舗の紹介をする会員の趣味嗜好が明らかになっているため、その会員の紹介する内容に信用がおけるからである。
【０００４】
このような口コミ情報の効果を活用するために、店舗の関係者には、自らの店舗についてＳＮＳで積極的に情報発信を行いたいという要望がある。しかし、ＳＮＳにおいて店舗の関係者自身が店舗について積極的に宣伝活動を行うことは、一般的には、好ましくないと思われている。営利目的の記事と非営利目的の記事が区別不能な態様で混在することは、ユーザの混乱を招き、各種のトラブルの原因となるからである。
【０００５】
そこで、トラブルの発生を抑えつつ、店舗の関係者が店舗についてＳＮＳで積極的に情報発信を行うことを可能にするため、宣伝行為が禁止されているＳＮＳと、宣伝行為が許可されているＳＮＳとを別個に設けることが考えられる。複数のＳＮＳを容易に切り換えて利用することを可能にする技術（特許文献１参照）を用いれば、ユーザは、このような性質の異なるＳＮＳの間を容易に行き来することができる。
【０００６】
【特許文献１】特開２００８−２７０９５号公報
【発明の開示】
【発明が解決しようとする課題】
【０００７】
しかしながら、上記の従来技術は、単にログインするＳＮＳを切り換えるだけのものであり、宣伝行為が禁止されているＳＮＳの情報と、宣伝行為が許可されているＳＮＳの情報とを組み合わせて利用することを可能にするものではなかった。このため、ポリシーの異なるＳＮＳを別個に設けたことによる利便性の低下を補償することができなかった。
【０００８】
開示の技術は、上述した従来技術による問題点を解消するためになされたものであり、複数のサイトの情報を利用する場合の利便性を向上させることを可能にするサイト連携方法を提供することを目的とする。
【課題を解決するための手段】
【０００９】
上述した課題を解決し、目的を達成するため、本願の開示するサイト連携方法は、一つの態様において、会員制の第１のサイトと各種記事を公開する第２のサイトとを連携させるサイト連携方法であって、前記第１のサイトが前記第２のサイトへ予め記憶された検索条件を送信する検索条件送信工程と、前記検索条件送信工程において送信された検索条件に該当する記事を前記第２のサイトが前記各種記事から検索する記事検索工程と、前記記事検索工程において検索された記事の一覧を前記第２のサイトが前記第１のサイトへ送信する一覧送信工程と、前記第１のサイトが、該サイトの会員に対して表示する画面に、前記一覧送信工程において送信された一覧を含める記事一覧表示工程と、前記画面において、前記一覧に含まれる記事の１つが選択された場合に、前記第２のサイトが該記事の内容の表示を前記会員に対して表示する記事表示工程とを含む。
【００１０】
なお、本願の開示するサイト連携方法の構成要素、表現または構成要素の任意の組合せを、方法、装置、システム、コンピュータプログラム、記録媒体、データ構造などに適用したものも上述した課題を解決するために有効である。
【発明の効果】
【００１１】
本願の開示するサイト連携方法の一つの態様によれば、複数のサイトの情報を利用する場合の利便性を向上させることができるという効果を奏する。
【発明を実施するための最良の形態】
【００１２】
以下に添付図面を参照して、本願の開示するサイト連携方法の好適な実施の形態を詳細に説明する。
【実施例】
【００１３】
まず、本実施例に係るコミュニケーションシステムについて説明する。図１は、本実施例に係るコミュニケーションシステムの構成を示す図である。図１に示すように、本実施例に係るコミュニケーションシステムは、ＳＮＳサーバ１０と、商用サイトサーバ２０と、利用者端末３０ａ〜３０ｍと、業者端末４０ａ〜４０ｎとを、インターネット等のネットワーク１を介して接続して構成される。
【００１４】
ＳＮＳサーバ１０は、ＳＮＳ機能を提供する。ＳＮＳサーバ１０が提供するＳＮＳにおいては、宣伝行為を行うことが禁止されているものとする。商用サイトサーバ２０は、店舗を経営する店主や店員、工場や農場の経営者や従業員、各種団体のメンバー等（以下、「業者」という）が、自らの店舗等についての宣伝を目的とした記事を公開する機能を提供する。なお、商用サイトサーバ２０における記事を公開する機能は、ＳＮＳのように予め登録された会員のみが記事を閲覧できるものであってもよいし、一般的なブログのように誰でも記事を閲覧できるものであってもよい。
【００１５】
利用者端末３０ａ〜３０ｍは、ユーザがＳＮＳサーバ１０や商用サイトサーバ２０にアクセスするための端末である。業者端末４０ａ〜４０ｎは、業者が、商用サイトサーバ２０にアクセスするための端末である。利用者端末３０ａ〜３０ｍ及び業者端末４０ａ〜４０ｎは、パソコンや携帯端末に相当し、ＷＥＢページを表示したり、ＷＥＢページに情報を入力したりするためのＷＥＢブラウザを備える。
【００１６】
ユーザは、利用者端末３０ａ等を操作してＳＮＳサーバ１０にログインすることにより、ＳＮＳサーバ１０が提供するＳＮＳの新着情報の一覧とは別に、商用サイトサーバ２０において公開された最新記事の一覧も参照することができる。そして、ユーザは、その一覧から記事を選択するだけで、商用サイトサーバ２０において公開された記事を閲覧することができる。
【００１７】
このように、本実施例に係るコミュニケーションシステムにおいては、ＳＮＳサーバ１０にログインしたユーザは、商用サイトサーバ２０において公開された記事を容易に閲覧することができる。しかも、ＳＮＳの新着情報の一覧と、商用サイトサーバ２０において公開された最新記事の一覧は、区別して表示されるため、ユーザが、商用サイトサーバ２０の記事をＳＮＳの記事と混同することを防止できる。
【００１８】
また、ユーザは、ＳＮＳサーバ１０にログインして表示された一覧から記事を選択して、商用サイトサーバ２０において公開された記事を閲覧した場合に、その記事についてコメントを書くことができる。このコメントは、ＳＮＳサーバ１０に登録されているユーザのニックネーム（ハンドルネーム）等とともに商用サイトサーバ２０に記憶され、ＳＮＳサーバ１０の会員によるものであることが分かる態様で第３者に公開される。
【００１９】
このように、本実施例に係るコミュニケーションシステムにおいては、ＳＮＳサーバ１０が提供するＳＮＳの会員が、その会員の立場で、商用サイトサーバ２０の記事にコメントを書くことができ、そのコメントが記事とともに公開される。このため、商用サイトサーバ２０の記事を読むユーザは、その記事についてＳＮＳサーバ１０の会員によって書かれたコメントを参照して、記事の内容を評価することができる。
【００２０】
例えば、商用サイトサーバ２０において、ある居酒屋の店主が新作料理のおいしさについての宣伝記事を公開し、その記事に対して「この料理は本当においしかったです」というコメントがＳＮＳサーバ１０の会員によって書かれたものとする。この場合、このコメントによって第３者は、その新作料理が宣伝の通りおいしいだろうと判断することができる。ＳＮＳサーバ１０の会員は、ＳＮＳの中での地位を損なうようないいかげんなコメントを書くことはないと考えられるからである。
【００２１】
なお、図１に示した例では、ＳＮＳサーバ１０と商用サイトサーバ２０が１つずつ含まれるコミュニケーションシステムの例を示したが、コミュニケーションシステムに含まれるＳＮＳサーバ１０と商用サイトサーバ２０の数は、それぞれ何台であってもよい。また、ＳＮＳサーバ１０と商用サイトサーバ２０を１台の装置として構成してもよい。
【００２２】
次に、図１に示したＳＮＳサーバ１０および商用サイトサーバ２０の構成について説明する。図２は、ＳＮＳサーバ１０の構成を示すブロック図である。図２に示すように、ＳＮＳサーバ１０は、制御部１１０と、記憶部１２０と、ネットワークインターフェース部（以下、「ネットワークＩ／Ｆ部」という）１３０とを有する。ネットワークＩ／Ｆ部１３０は、ネットワークを介して他の装置と通信を行うための各種制御を行う。
【００２３】
制御部１１０は、ＳＮＳサーバ１０を全体制御する制御部であり、認証部１１１と、画面制御部１１２と、連携制御部１１３とを有する。認証部１１１は、ＳＮＳサーバ１０の会員を認証する。画面制御部１１２は、ＳＮＳ機能に関連する各種画面の生成や、生成した画面において入力された情報に対する各種データ処理を行う。連携制御部１１３は、ＳＮＳサーバ１０と商用サイトサーバ２０の連携を実現する。
【００２４】
記憶部１２０は、各種テーブルを記憶する記憶部であり、利用者情報テーブル１２１と、日記テーブル１２２と、コミュニティテーブル１２３と、フレンドテーブル１２４と、お気に入りテーブル１２５と、コメント履歴テーブル１２６と、ヒントテーブル１２７とを記憶する。
【００２５】
利用者情報テーブル１２１は、ＳＮＳサーバ１０に登録されている会員に関する情報が格納されるテーブルである。利用者情報テーブル１２１の一例を図３に示す。図３に示すように、利用者情報テーブル１２１は、ユーザＩＤ、パスワード、ニックネーム、評価という項目に加えて、住所、性別、趣味といった会員の属性情報に関する項目を有し、ユーザ毎に行が登録される。ユーザＩＤは、会員を識別するための識別番号である。パスワードは、ユーザＩＤと組み合わせて会員の認証を行うために用いられる。ニックネームは、ＳＮＳにおける会員の名前である。
【００２６】
評価は、ＳＮＳにおける会員の信頼度を示す値である。この値は、例えば、会員がＳＮＳにおいて公開した日記等の記事を参照した他の会員の数や、それらの記事について書かれたコメントの数等によって決定される。なお、この値の具体的な算出方式は、従来使用されている各種方式を用いることができる。
【００２７】
住所、性別、趣味といった会員の属性情報に関する項目には、ＳＮＳ内での公開を許可するか否かと、ＳＮＳ外での公開を許可するか否かを示す値が、項目毎に設定される。図３の例では、住所の項目について、ＳＮＳ内公開が「Ｙ」と設定され、ＳＮＳ外公開が「Ｎ」と設定されている。これは、住所の項目の値について、ＳＮＳ内部での公開は認めるが、ＳＮＳの外部、例えば、商用サイトサーバ２０での公開は認めないことを意味する。
【００２８】
日記テーブル１２２は、ＳＮＳにおける日記とそのコメントに関する情報が格納されるテーブルである。コミュニティテーブル１２３は、ＳＮＳにおける電子会議室に関する情報が格納されるテーブルである。フレンドテーブル１２４は、ＳＮＳにおける友人関係に関する情報が格納されるテーブルである。
【００２９】
お気に入りテーブル１２５は、会員が商用サイトサーバ２０において興味をもっているＷＥＢページに関する情報が登録されるテーブルである。お気に入りテーブル１２５の一例を図４に示す。図４に示すように、お気に入りテーブル１２５は、ユーザＩＤ、サイトコード、業者ＩＤといった項目を有し、それぞれの会員について複数の行を登録できるように構成されている。
【００３０】
ユーザＩＤは、会員を識別するための識別番号であり、利用者情報テーブル１２１のユーザＩＤに対応する。サイトコードは、商用サイトサーバ２０を識別するためのコードである。なお、商用サイトサーバ２０を識別するための情報として、サイトコードの代わりに、商用サイトサーバ２０のドメイン名等を保持してもよい。業者ＩＤは、会員が商用サイトサーバ２０において興味をもっているＷＥＢページを開設している業者を識別するための識別番号である。
【００３１】
図３に示した例は、「９８７６」というユーザＩＤで識別される会員が、「ＸＹＺ」というコードで識別される商用サイトサーバ２０において「５５５」という業者ＩＤで識別される業者が開設しているＷＥＢページと、同じく「ＸＹＺ」というコードで識別される商用サイトサーバ２０において「６６６」という業者ＩＤで識別される業者が開設しているＷＥＢページに興味をもっていることを示している。
【００３２】
コメント履歴テーブル１２６は、会員が、ＳＮＳ内や商用サイトサーバ２０において書いたコメントの履歴に関する情報が登録されるテーブルである。コメント履歴テーブル１２６の一例を図５に示す。図５に示すように、コメント履歴テーブル１２６は、ユーザＩＤ、記事ＵＲＬ、タイトル、作者、日時といった項目を有し、それぞれの会員について複数の行を登録できるように構成されている。
【００３３】
ユーザＩＤは、会員を識別するための識別番号であり、利用者情報テーブル１２１のユーザＩＤに対応する。記事ＵＲＬは、会員がコメントを書いた記事の掲載されていたＷＥＢページの位置を示すＵＲＬである。タイトルおよび作者は、会員がコメントを書いた記事のタイトルおよび作者である。日時は、会員がコメントを書いた日時である。
【００３４】
ヒントテーブル１２７は、商用サイトサーバ２０において公開された最新記事のうち、どの記事を一覧表示させるかを決定するための情報が登録されるテーブルである。ヒントテーブル１２７の一例を図６に示す。図６に示すように、ヒントテーブル１２７は、ユーザＩＤ、ヒントといった項目を有し、ユーザ毎に行が登録される。
【００３５】
ユーザＩＤは、会員を識別するための識別番号であり、利用者情報テーブル１２１のユーザＩＤに対応する。ヒントは、商用サイトサーバ２０において公開された最新記事のうち、一覧表示させる記事を抽出するための抽出条件に相当する。なお、ヒントの値は、会員自身が設定することとしてもよいし、利用者情報テーブル１２１に設定されている住所や趣味等に基づいて、ＳＮＳサーバ１０が自動的に設定することとしてもよい。
【００３６】
図６に示した例では、「９８７６」というユーザＩＤで識別される会員に対して、「地域＝青森市、カテゴリ＝食べ物｜祭り」という値がヒントとして設定されている。このヒントは、住所が「青森市」である業者が書いた新作記事のうち、カテゴリが「食べ物」もしくは「祭り」に含まれる新作記事を一覧表示させることを示している。なお、業者が書いた記事のカテゴリは、業者が記事を書く際に明示的に指定したカテゴリに基づいて判断することとしてもよいし、業者が書いた記事に含まれるキーワードと、キーワードとカテゴリの対応が登録された対応表を照合して判断することとしてもよい。
【００３７】
図７は、商用サイトサーバ２０の構成を示すブロック図である。図７に示すように、商用サイトサーバ２０は、制御部２１０と、記憶部２２０と、ネットワークＩ／Ｆ部２３０とを有する。ネットワークＩ／Ｆ部２３０は、ネットワークを介して他の装置と通信を行うための各種制御を行う。
【００３８】
制御部２１０は、商用サイトサーバ２０を全体制御する制御部であり、認証部２１１と、画面制御部２１２と、連携制御部２１３とを有する。認証部２１１は、商用サイトサーバ２０において記事の公開等を行う業者を認証する。画面制御部２１２は、記事の公開に関連する各種画面の生成や、生成した画面において入力された情報に対する各種データ処理を行う。連携制御部２１３は、ＳＮＳサーバ１０と商用サイトサーバ２０の連携を実現する。
【００３９】
記憶部２２０は、各種テーブルを記憶する記憶部であり、業者情報テーブル２２１と、記事テーブル２２２と、コメントテーブル２２３とを記憶する。業者情報テーブル２２１は、商用サイトサーバ２０において記事の公開等を行う業者に関する情報が格納されるテーブルである。
【００４０】
記事テーブル２２２は、業者が公開する記事に関する情報が格納されるテーブルである。記事テーブル２２２の一例を図８に示す。図８に示すように、記事テーブル２２２は、記事ＩＤ、業者ＩＤ、タイトル、記事、日時といった項目を有し、記事毎に行が登録される。記事ＩＤは、記事を識別するための識別番号である。業者ＩＤは、記事を公開した業者を識別するための識別番号である。タイトルおよび記事は、記事のタイトルおよび本文である。日時は、記事が作成された日時である。
【００４１】
コメントテーブル２２３は、記事に対するコメントに関する情報が格納されるテーブルである。コメントテーブル２２３の一例を図９に示す。図９に示すように、コメントテーブル２２３は、記事ＩＤ、コメント番号、ＳＮＳコード、ユーザＩＤ、ニックネーム、ランク、コメント、日時といった項目を有し、コメント毎に行が登録される。
【００４２】
記事ＩＤは、記事を識別するための識別番号であり、記事テーブル２２２の記事ＩＤに対応する。コメント番号は、当該のコメントが、記事ＩＤによって識別される記事に対して書かれた何番目のコメントであるかを示す番号である。ＳＮＳコードは、コメントを書いたユーザが属するＳＮＳを識別するためのコードである。ユーザＩＤは、会員を識別するための識別番号であり、利用者情報テーブル１２１のユーザＩＤに対応する。
【００４３】
ニックネームは、コメントを書いたユーザのネットワーク上での名称である。ランクは、コメントを書いたユーザのＳＮＳにおける信頼度を示す値であり、利用者情報テーブル１２１の評価に対応する。コメントは、コメントの本文である。日時は、コメントが作成された日時である。なお、ＳＮＳコード、ユーザＩＤおよびランクは、コメントの作者がＳＮＳサーバ１０によって生成された画面から遷移してコメントを作成した場合以外は、空欄となる。
【００４４】
次に、本実施例に係るコミュニケーションシステムの動作およびユーザに表示される画面について説明する。図１０は、会員がＳＮＳサーバ１０にログインした場合に表示される初期画面５０の一例を示す図である。図１０に示すように、初期画面５０は、パイロット領域５０ａと、肖像領域５０ｂと、フレンドリスト領域５０ｃと、コミュニティリスト領域５０ｄと、フレンド最新日記領域５０ｅと、コミュニティ最新記事領域５０ｆと、お気に入り最新記事領域５０ｇと、外部サイト最新記事領域５０ｈと、コメント記入履歴領域５０ｉと、最新日記領域５０ｊとを含む。
【００４５】
パイロット領域５０ａは、ＳＮＳが有する各種機能を呼び出すためのボタンが配置された領域である。肖像領域５０ｂは、会員自身の肖像が表示される領域である。フレンドリスト領域５０ｃは、会員と友人関係にある他の会員の肖像が表示される領域である。これらの肖像には、それぞれの会員の日記を表示させるためのリンクが設定されている。コミュニティリスト領域５０ｄは、会員が参加している電子会議室を示すアイコンが教示される領域である。これらのアイコンには、それぞれの電子会議室を表示させるためのリンクが設定されている。
【００４６】
フレンド最新日記領域５０ｅは、会員と友人関係にある他の会員が書いた最新の日記のタイトルの一覧が表示される領域である。各タイトルには、日記の内容とコメントを表示させるためのリンクが設定されている。コミュニティ最新記事領域５０ｆは、会員が参加している電子会議室における最新の記事のタイトルの一覧が表示される領域である。各タイトルには、記事の内容を表示させるためのリンクが設定されている。
【００４７】
お気に入り最新記事領域５０ｇは、商用サイトサーバ２０において公開された最新記事のうち、会員がお気に入りテーブル１２５に登録した業者の記事のタイトルの一覧が表示される領域である。各タイトルには、記事の内容とコメントを表示させるためのリンクが設定されている。
【００４８】
外部サイト最新記事領域５０ｈは、商用サイトサーバ２０において公開された最新記事のうち、ヒントテーブル１２７に登録されたヒントに基づいて抽出された業者の記事のタイトルの一覧が表示される領域である。各タイトルには、記事の内容とコメントを表示させるためのリンクが設定されている。
【００４９】
コメント記入履歴領域５０ｉは、会員がコメントを書いた記事のタイトルの一覧がコメント履歴テーブル１２６から抽出されて表示される領域である。各タイトルには、記事の内容とコメントを表示させるためのリンクが設定されている。最新日記領域５０ｊが書いた日記のタイトルの一覧が表示される領域である。各タイトルには、日記の内容とコメントを表示させるためのリンクが設定されている。
【００５０】
図１１は、図１０に示した初期画面５０を表示させるためのコミュニケーションシステムの動作を示すシーケンス図である。図１１に示すように、利用者端末３０ａからＳＮＳサーバ１０へユーザＩＤとパスワードがログイン情報として送信されると（ステップＳ１０１）、ＳＮＳサーバ１０の認証部１１１が認証処理を実行する（ステップＳ１０２）。
【００５１】
そして、認証処理が成功すると、ＳＮＳサーバ１０の連携制御部１１３が、商用サイトサーバ２０に新着情報の送信を要求する（ステップＳ１０３）。具体的には、連携制御部１１３は、ヒントテーブル１２７から当該の会員に対応するヒントの値を取得する。そして、連携制御部１１３は、取得したヒントの値を、連携している各商用サイトサーバ２０に対して送信し、該当する新規記事に関する情報の一覧を送信するように要求する。
【００５２】
また、連携制御部１１３は、お気に入りテーブル１２５から当該の会員に対応する行を取得する。そして、連携制御部１１３は、各行のサイトコードに対応する商用サイトサーバ２０に対して、同一行の業者ＩＤの値を送信して、対応する業者の最新記事に関する情報を送信するように要求する。
【００５３】
商用サイトサーバ２０の連携制御部２１３は、ＳＮＳサーバ１０からの要求を受信すると、送信された業者ＩＤに対応する業者の最新記事を記事テーブル２２２から検索する（ステップＳ１０４）。また、連携制御部２１３は、送信されたヒントに該当する最新記事を記事テーブル２２２から検索する（ステップＳ１０５）。
【００５４】
そして、連携制御部２１３は、検索された各記事について、タイトルと、業者名と、記事を表示させるためのＵＲＬの組合せをＳＮＳサーバ１０に送信する（ステップＳ１０６）。ここで、業者名は、記事テーブル２２２の検索された行の業者ＩＤの値をキーにして、業者情報テーブル２２１を検索することによって取得することができる。また、記事を表示させるためのＵＲＬは、記事テーブル２２２の検索された行の記事ＩＤ等の値から生成することができる。また、ＳＮＳサーバ１０へは、業者ＩＤに基づいて取得された情報と、ヒントに基づいて取得された情報とが区別できるように応答が送信される。
【００５５】
連携制御部１１３が、連携制御部２１３からの応答を受信すると、ＳＮＳサーバ１０の画面制御部１１２は、応答された情報と、記憶部１２０に記憶されている情報に基づいて初期画面５０を生成し（ステップＳ１０７）、利用者端末３０ａへ送信する（ステップＳ１０８）。
【００５６】
ここで、初期画面５０は、例えば、ＨＴＭＬ（HyperText Markup Language）形式で作成される。また、初期画面５０のうち、お気に入り最新記事領域５０ｇの部分は、業者ＩＤに基づいて商用サイトサーバ２０で取得された情報に基づいて生成され、外部サイト最新記事領域５０ｈの部分は、ヒントに基づいて商用サイトサーバ２０で取得された情報に基づいて生成される。これらの領域に設定されるリンクには、図１１の下部に示すように、ログインした会員のユーザＩＤと、当該のＳＮＳサーバ１０を識別するためのコードとが埋め込まれる（「＆ｕｓｅｒ＝９８７６＆ｓｎｓ＝ａｂｃ」の部分）。お気に入りの登録時やコメントの記入時に、ＳＮＳサーバ１０と会員を特定できるようにするためである。
【００５７】
そして、利用者端末３０ａは、ＳＮＳサーバ１０から送信された初期画面をＷＥＢブラウザに表示させる（ステップＳ１０９）。
【００５８】
図１２は、初期画面５０のお気に入り最新記事領域５０ｇもしくは外部サイト最新記事領域５０ｈのリンクが選択された場合に表示される記事画面６０の一例を示す図である。図１２に示すように、記事画面６０は、記事領域６０ａとコメント領域６０ｂとを含む。
【００５９】
記事領域６０ａは、選択されたリンクに対応する記事の情報が記事テーブル２２２から検索されて表示される領域である。記事領域６０ａの下部には、「コメントを書く」というリンク６１ａがあり、このリンク６１ａを選択すると、画面制御部２１２によってコメント入力画面（図示せず）が表示される。そして、コメント入力画面においてコメントを入力して「送信」ボタンを押下すると、入力されたコメント等がコメントテーブル２２３に登録される。
【００６０】
コメント領域６０ｂは、記事領域６０ａに表示された記事に対応するコメント等がコメントテーブル２２３から検索されて表示される領域である。コメント領域６０ｂの上部には、コメントを書いたユーザのネットワーク上の名前であるニックネーム６１ｂが表示される。コメントが、ＳＮＳサーバ１０の画面から遷移してきたユーザによって書かれたものである場合、ニックネーム６１ｂには、プロフィール画面７０を表示するためのリンクが設定され、ニックネーム６１ｂの横にサイトアイコン６２ｂとランクアイコン６３ｂが表示される。
【００６１】
サイトアイコン６２ｂは、ユーザがどのＳＮＳから遷移してきたかを示すアイコンであり、コメントテーブル２２３のＳＮＳコードの値に基づいて表示される。ランクアイコン６３ｂは、そのＳＮＳにおけるユーザの信頼度を示すアイコンであり、コメントテーブル２２３のランクの値に基づいて表示される。
【００６２】
このようにサイトアイコン６２ｂとランクアイコン６３ｂを表示することにより、コメントを書いたユーザがＳＮＳの会員であることが明らかになり、書かれたコメントに対する信用が増す。そして、コメントの内容が肯定的なものであれば、記事に対する信用も増して、宣伝効果が増大することになる。
【００６３】
記事画面６０の下部には、「前の記事」というリンク６０ｃと、「次の記事」というリンク６０ｄとが表示される。リンク６０ｃおよび６０ｄは、ユーザが同一の業者によって公開された他の記事を閲覧するために用いられる。
【００６４】
また、記事画面６０を表示する際のパラメータにユーザＩＤとＳＮＳコードが含まれていた場合、すなわち、記事画面６０が初期画面５０から呼び出された場合には、記事画面６０の下部に、「お気に入りに登録する」というリンク６０ｅも表示される。リンク６０ｅを選択すると、記事画面６０に対応する業者の情報が、ユーザが興味を持っている業者に関する情報として、ＳＮＳサーバ１０のお気に入りテーブル１２５に登録される。
【００６５】
図１３は、記事画面６０においてニックネーム６１ｂのリンクが選択された場合に、ＳＮＳサーバ１０によって表示されるプロフィール画面７０の一例を示す図である。図１３に示すように、プロフィール画面７０は、属性情報領域７０ａと最新日記領域７０ｂとを含む。
【００６６】
属性情報領域７０ａは、ニックネーム６１ｂに対応する会員のニックネームの他、ＳＮＳ外公開が「Ｙ」に設定された属性の値が利用者情報テーブル１２１から取得されて表示される領域である。最新日記領域７０ｂは、ニックネーム６１ｂに対応する会員によって書かれた日記の日付およびタイトルと、各日記に対して書かれたコメントの数とが表示される領域である。なお、最新日記領域７０ｂに表示されるのは、会員によってＳＮＳ外にも公開すると指定された日記のみであり、また、この画面から日記の内容を閲覧することはできない。
【００６７】
このように、ＳＮＳサーバ１０に登録されている会員の属性情報や、会員によって書かれた日記のタイトルとその日記への反応の大きさを表示することにより、書かれたコメントに対する信用が一層増す。そして、コメントの内容が肯定的なものであれば、記事に対する信用も増して、宣伝効果がさらに増大することになる。
【００６８】
図１４は、お気に入り登録時のコミュニケーションシステムの動作を示すシーケンス図である。図１４に示すように、利用者端末３０ａにおいて初期画面５０が表示され（ステップＳ２０１）、外部サイト最新記事領域５０ｈの記事へのリンクの１つが選択されると（ステップＳ２０２）、利用者端末３０ａは、商用サイトサーバ２０に対して、選択された記事の内容の表示を要求する（ステップＳ２０３）。
【００６９】
この結果、商用サイトサーバ２０へ、表示する記事を識別するための記事ＩＤと、ＳＮＳサーバ１０にログインしている会員のユーザＩＤと、ＳＮＳサーバ１０を識別するためのＳＮＳコードとが送信される。そして、商用サイトサーバ２０の画面制御部２１２は、受信したＵＲＬに対応する記事画面６０を生成する（ステップＳ２０４）。
【００７０】
このとき、送信された情報にユーザＩＤとＳＮＳコードが含まれているため、商用サイトサーバ２０は、「お気に入りに登録する」というリンク６０ｅを記事画面６０に含める。リンク６０ｅには、送信されたユーザＩＤおよびＳＮＳコードと、表示対象の記事を作成した業者の業者ＩＤとがパラメータとして埋め込まれる。
【００７１】
また、送信された情報にユーザＩＤとＳＮＳコードが含まれているため、画面制御部２１２は、記事領域６０ａに含まれる「コメントを書く」というリンク６１ａに、送信されたユーザＩＤおよびＳＮＳコードをパラメータとして埋め込む。
【００７２】
そして、商用サイトサーバ２０は、記事画面６０を利用者端末３０ａへ送信し、利用者端末３０ａは、それを表示する（ステップＳ２０５）。そして、記事画面６０において、「お気に入りに登録する」というリンク６０ｅが選択されると、利用者端末３０ａは、お気に入りへの登録を商用サイトサーバ２０に要求する（ステップＳ２０６）。
【００７３】
この結果、商用サイトサーバ２０へ、業者ＩＤと、ユーザＩＤと、ＳＮＳコードとが送信される。そして、商用サイトサーバ２０の連携制御部２１３は、受信したＳＮＳコードに対応するＳＮＳサーバ１０へ、業者ＩＤと、ユーザＩＤと、当該の商用サイトサーバ２０を識別するためのサイトコードとを送信して、お気に入りへの登録を依頼する（ステップＳ２０７）。
【００７４】
依頼を受けたＳＮＳサーバ１０の連携制御部１１３は、送信された情報をお気に入りテーブル１２５に登録する処理を行い（ステップＳ２０８）、登録結果を商用サイトサーバ２０へ応答する（ステップＳ２０９）。登録結果を受信した商用サイトサーバ２０の画面制御部２１２は、登録結果に応じた登録結果画面を生成する（ステップＳ２１０）。そして、画面制御部２１２は、登録結果画面を利用者端末３０ａへ送信し、利用者端末３０ａは、それを表示する（ステップＳ２１１）。
【００７５】
なお、上記の説明では、お気に入りの登録を商用サイトサーバ２０経由で行うこととしたが、利用者端末３０ａがＳＮＳサーバ１０に対してお気に入りの登録を直接要求するように構成してもよい。また、上記の説明では、ユーザＩＤ等の受け渡しをＣＧＩパラメータを用いて行うこととしたが、クッキーや、サーバ側のセッション変数を用いることとしてもよい。
【００７６】
図１５は、コメント書き込み時のコミュニケーションシステムの動作を示すシーケンス図である。なお、ステップＳ３０１〜Ｓ３０５は、図１４に示したステップＳ２０１〜Ｓ２０５と同一であるため、この部分については説明を省略する。
【００７７】
記事画面６０において、「コメントを書く」というリンク６１ａが選択され、コメント入力画面でコメントが入力されると（ステップＳ３０６）、利用者端末３０ａは、入力されたコメントを商用サイトサーバ２０に送信する（ステップＳ３０７）。このとき、記事ＩＤと、ユーザＩＤと、ＳＮＳコードも商用サイトサーバ２０へ送信される。
【００７８】
商用サイトサーバ２０の連携制御部２１３は、受信したＳＮＳコードに対応するＳＮＳサーバ１０へユーザＩＤを送信して、そのユーザＩＤに対応する会員の情報を問い合せる（ステップＳ３０８）。
【００７９】
依頼を受けたＳＮＳサーバ１０の連携制御部１１３は、送信されたユーザＩＤに対応する行を利用者情報テーブル１２１から検索し（ステップＳ３０９）、検索された行のニックネームと評価の値を商用サイトサーバ２０へ送信する（ステップＳ３１０）。ここで、送信されたユーザＩＤに対応する行が利用者情報テーブル１２１になかった場合は、不正行為が行われている可能性があるため、連携制御部１１３は、ＳＮＳサーバ１０に対してコメントの登録を中止するように指示する。
【００８０】
そして、商用サイトサーバ２０の連携制御部２１３は、利用者端末３０ａから送信された情報とＳＮＳサーバ１０から送信された情報をコメントテーブル２２３に登録する（ステップＳ３１１）。続いて、連携制御部２１３は、ユーザＩＤと、コメントが書かれた記事を表示するためのＵＲＬと、コメントが書かれた記事のタイトルと、コメントが書かれた記事の作者である業者の名前と、コメントが登録された日時とをＳＮＳサーバ１０へ送信して、コメントの登録を行った旨を通知し（ステップＳ３１２）、ＳＮＳサーバ１０の連携制御部１１３は、送信された情報をコメント履歴テーブル１２６に登録する（ステップＳ３１３）。
【００８１】
そして、商用サイトサーバ２０の画面制御部２１２は、登録されたコメントが追加された記事画面６０を生成する（ステップＳ３１４）。そして、商用サイトサーバ２０は、記事画面６０を利用者端末３０ａへ送信し、利用者端末３０ａは、それを表示する（ステップＳ３１５）。
【００８２】
なお、図２に示したＳＮＳサーバ１０や図７に示した商用サイトサーバ２０の構成は、要旨を逸脱しない範囲で種々に変更することができる。例えば、ＳＮＳサーバ１０の制御部１１０や商用サイトサーバ２０の制御部２１０の機能をソフトウェアとして実装し、これをコンピュータで実行することにより、ＳＮＳサーバ１０や商用サイトサーバ２０と同等の機能を実現することもできる。以下に、制御部１１０の機能をソフトウェアとして実装したＳＮＳ運用プログラム１０７１を実行するコンピュータの一例を示す。
【００８３】
図１６は、ＳＮＳ運用プログラム１０７１を実行するコンピュータ１０００を示す機能ブロック図である。このコンピュータ１０００は、各種演算処理を実行するＣＰＵ（Central Processing Unit）１０１０と、ユーザからのデータの入力を受け付ける入力装置１０２０と、各種情報を表示するモニタ１０３０と、記録媒体からプログラム等を読み取る媒体読取り装置１０４０と、ネットワークを介して他のコンピュータとの間でデータの授受を行うネットワークインターフェース装置１０５０と、各種情報を一時記憶するＲＡＭ（Random Access Memory）１０６０と、ハードディスク装置１０７０とをバス１０８０で接続して構成される。
【００８４】
そして、ハードディスク装置１０７０には、図２に示した制御部１１０と同様の機能を有するＳＮＳ運用プログラム１０７１と、図２に示した記憶部１２０の各種テーブルに記憶される情報に対応するＳＮＳ運用データ１０７２とが記憶される。なお、ＳＮＳ運用データ１０７２を、適宜分散させ、ネットワークを介して接続された他のコンピュータに記憶させておくこともできる。
【００８５】
そして、ＣＰＵ１０１０がＳＮＳ運用プログラム１０７１をハードディスク装置１０７０から読み出してＲＡＭ１０６０に展開することにより、ＳＮＳ運用プログラム１０７１は、ＳＮＳ運用プロセス１０６１として機能するようになる。そして、ＳＮＳ運用プロセス１０６１は、ＳＮＳ運用データ１０７２から読み出した情報等を適宜ＲＡＭ１０６０上の自身に割り当てられた領域に展開し、この展開したデータ等に基づいて各種データ処理を実行する。
【００８６】
なお、上記のＳＮＳ運用プログラム１０７１は、必ずしもハードディスク装置１０７０に格納されている必要はなく、ＣＤ−ＲＯＭ等の記憶媒体に記憶されたこのプログラムを、コンピュータ１０００が読み出して実行するようにしてもよい。また、公衆回線、インターネット、ＬＡＮ（Local Area Network）、ＷＡＮ（Wide Area Network）等を介してコンピュータ１０００に接続される他のコンピュータ（またはサーバ）等にこのプログラムを記憶させておき、コンピュータ１０００がこれらからプログラムを読み出して実行するようにしてもよい。
【図面の簡単な説明】
【００８７】
【図１】本実施例に係るコミュニケーションシステムの構成を示す図である。
【図２】ＳＮＳサーバの構成を示すブロック図である。
【図３】利用者情報テーブルの一例を示す図である。
【図４】お気に入りテーブルの一例を示す図である。
【図５】コメント履歴テーブルの一例を示す図である。
【図６】ヒントテーブルの一例を示す図である。
【図７】商用サイトサーバの構成を示すブロック図である。
【図８】記事テーブルの一例を示す図である。
【図９】コメントテーブルの一例を示す図である。
【図１０】初期画面の一例を示す図である。
【図１１】初期画面を表示させるための動作を示すシーケンス図である。
【図１２】記事画面の一例を示す図である。
【図１３】プロフィール画面の一例を示す図である。
【図１４】お気に入り登録時の動作を示すシーケンス図である。
【図１５】コメント書き込み時の動作を示すシーケンス図である。
【図１６】ＳＮＳ運用プログラムを実行するコンピュータを示す機能ブロック図である。
【符号の説明】
【００８８】
１  ネットワーク
１０  ＳＮＳサーバ
１１０  制御部
１１１  認証部
１１２  画面制御部
１１３  連携制御部
１２０  記憶部
１２１  利用者情報テーブル
１２２  日記テーブル
１２３  コミュニティテーブル
１２４  フレンドテーブル
１２５  お気に入りテーブル
１２６  コメント履歴テーブル
１２７  ヒントテーブル
１３０  ネットワークＩ／Ｆ部
２０  商用サイトサーバ
２１０  制御部
２１１  認証部
２１２  画面制御部
２１３  連携制御部
２２０  記憶部
２２１  業者情報テーブル
２２２  記事テーブル
２２３  コメントテーブル
２３０  ネットワークＩ／Ｆ部
３０ａ〜３０ｍ  利用者端末
４０ａ〜４０ｎ  業者端末
５０  初期画面
５０ａ  パイロット領域
５０ｂ  肖像領域
５０ｃ  フレンドリスト領域
５０ｄ  コミュニティリスト領域
５０ｅ  フレンド最新日記領域
５０ｆ  コミュニティ最新記事領域
５０ｇ  お気に入り最新記事領域
５０ｈ  外部サイト最新記事領域
５０ｉ  コメント記入履歴領域
５０ｊ  最新日記領域
６０  記事画面
６０ａ  記事領域
６０ｂ  コメント領域
６０ｃ〜６０ｅ、６１ａ  リンク
６１ｂ  ニックネーム
６２ｂ  サイトアイコン
６３ｂ  ランクアイコン
７０  プロフィール画面
７０ａ  属性情報領域
７０ｂ  最新日記領域
１０００  コンピュータ
１０１０  ＣＰＵ
１０２０  入力装置
１０３０  モニタ
１０４０  媒体読取り装置
１０５０  ネットワークインターフェース装置
１０６０  ＲＡＭ
１０６１  ＳＮＳ運用プロセス
１０７０  ハードディスク装置
１０７１  ＳＮＳ運用プログラム
１０７２  ＳＮＳ運用データ
１０８０  バス
【図１】
2010039564.tif 000003
【図２】
2010039564.tif 000004
【図３】
2010039564.tif 000005
【図４】
2010039564.tif 000006
【図５】
2010039564.tif 000007
【図６】
2010039564.tif 000008
【図７】
2010039564.tif 000009
【図８】
2010039564.tif 000010
【図９】
2010039564.tif 000011
【図１０】
2010039564.tif 000012
【図１１】
2010039564.tif 000013
【図１２】
2010039564.tif 000014
【図１３】
2010039564.tif 000015
【図１４】
2010039564.tif 000016
【図１５】
2010039564.tif 000017
【図１６】
2010039564.tif 000018
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
会員制の第１のサイトと各種記事を公開する第２のサイトとを連携させるサイト連携方法であって、
前記第１のサイトが前記第２のサイトへ予め記憶された検索条件を送信する検索条件送信工程と、
前記検索条件送信工程において送信された検索条件に該当する記事を前記第２のサイトが前記各種記事から検索する記事検索工程と、
前記記事検索工程において検索された記事の一覧を前記第２のサイトが前記第１のサイトへ送信する一覧送信工程と、
前記第１のサイトが、該サイトの会員に対して表示する画面に、前記一覧送信工程において送信された一覧を含める記事一覧表示工程と、
前記画面において、前記一覧に含まれる記事の１つが選択された場合に、前記第２のサイトが該記事の内容の表示を前記会員に対して表示する記事表示工程と、
前記記事表示工程において表示された記事に対して前記会員が作成したコメント及び前記第１のサイトにおける該会員のユーザＩＤを、前記第２のサイトが受信するコメント受信工程と、
前記第２のサイトが前記コメント受信工程において受信されたユーザＩＤに対応する会員のハンドルネームを前記第１のサイトから取得する属性情報取得工程と、
前記第２のサイトが前記コメント受信工程において受信されたコメントと、前記属性情報取得工程において取得されたハンドルネームと、前記第１のサイトを識別するためのサイト識別コードとを対応付けて記憶手段に記憶させるコメント記憶工程と、
前記第２のサイトが前記各種記事のいずれかの記事を、該記事に対して作成されたコメントとともに任意の者に対して表示する場合に、該コメントと対応付けて前記サイト識別コードが記憶されていれば、該サイト識別コードに対応する標識と該コメントと対応付けて記憶されているハンドルネームとを該コメントとともに表示するコメント付き記事表示工程と
を含むこと特徴とするサイト連携方法。
【請求項２】
前記記事表示工程において表示された画面に対して前記会員が所定の操作をした場合に、該記事の作成者によって作成された記事を検索対象とするための条件を前記検索条件に追加する検索条件追加工程をさらに含むことを特徴とする請求項１に記載のサイト連携方法。
【請求項３】
前記属性情報取得工程は、前記コメント受信工程において受信されたユーザＩＤに対応する会員が前記第１のサイトで行った行動に基づいて前記第１のサイトが決定した該会員の評価値を前記第２のサイトがさらに取得し、
前記コメント記憶工程は、前記第２のサイトが前記コメント受信工程において受信されたコメントと対応付けて、前記属性情報取得工程において取得された評価値をさらに記憶手段に記憶させ、
前記コメント付き記事表示工程は、前記第２のサイトが前記各種記事のいずれかの記事を、該記事に対して作成されたコメントとともに任意の者に対して表示する場合に、該コメントと対応付けて前記サイト識別コードが記憶されていれば、該コメントと対応付けて記憶されている評価値を該コメントとともにさらに表示することを特徴とする請求項１または２に記載のサイト連携方法。
【請求項４】
前記コメント付き記事表示工程において前記第１のサイトのサイト識別コードに対応する標識が表示された画面に対して前記任意の者が所定の操作をした場合に、前記第１のサイトが、前記任意の者に対して、前記画面において前記標識とともに表示されているハンドルネームに対応する会員の属性情報であって、前記第１のサイトの外部へ公開することを許可する旨が登録された情報を表示する属性情報表示工程をさらに含むことを特徴とする請求項１〜３のいずれか１つに記載のサイト連携方法。
【請求項５】
前記第１のサイトは、宣伝活動が禁止されているサイトであり、前記第２のサイトは、宣伝活動が許可されているサイトであることを特徴とする請求項１〜４のいずれか１つに記載のサイト連携方法。
【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
会員制の第１のサイトと各種記事を公開する第２のサイトとを連携させるサイト連携方法であって、
前記第１のサイトを構成する第１のコンピュータが前記第２のサイトを構成する第２のコンピュータへ予め記憶された検索条件を送信する検索条件送信工程と、
前記検索条件送信工程において送信された検索条件に該当する記事を前記第２のコンピュータが前記各種記事から検索する記事検索工程と、
前記記事検索工程において検索された記事の一覧を前記第２のコンピュータが前記第１のコンピュータへ送信する一覧送信工程と、
前記第１のコンピュータが、前記第１のサイトの会員に対して表示する画面に、前記一覧送信工程において送信された一覧を含める記事一覧表示工程と、
前記画面において、前記一覧に含まれる記事の１つが選択された場合に、前記第２のコンピュータが該記事の内容の表示を前記会員に対して表示する記事表示工程と、
前記記事表示工程において表示された記事に対して前記会員が作成したコメント及び前記第１のサイトにおける該会員のユーザＩＤを、前記第２のコンピュータが受信するコメント受信工程と、
前記第２のコンピュータが前記コメント受信工程において受信されたユーザＩＤに対応する会員のハンドルネームと、該ユーザＩＤに対応する会員が前記第１のサイトで行った行動に基づいて前記第１のコンピュータが決定した該会員の評価値とを前記第１のコンピュータから取得する属性情報取得工程と、
前記第２のコンピュータが前記コメント受信工程において受信されたコメントと、前記属性情報取得工程において取得されたハンドルネームと、前記属性情報取得工程において取得された評価値と、前記第１のサイトを識別するためのサイト識別コードとを対応付けて記憶手段に記憶させるコメント記憶工程と、
前記第２のコンピュータが前記各種記事のいずれかの記事を、該記事に対して作成されたコメントとともに任意の者に対して表示する場合に、該コメントと対応付けて前記サイト識別コードが記憶されていれば、該サイト識別コードに対応する標識と該コメントと対応付けて記憶されているハンドルネームと該コメントと対応付けて記憶されている評価値とを該コメントとともに表示するコメント付き記事表示工程と
を含むこと特徴とするサイト連携方法。
【請求項２】
前記記事表示工程において表示された画面に対して前記会員が所定の操作をした場合に、前記第１のコンピュータが、該記事の作成者によって作成された記事を検索対象とするための条件を前記検索条件に追加する検索条件追加工程をさらに含むことを特徴とする請求項１に記載のサイト連携方法。
【請求項３】
前記コメント付き記事表示工程において前記第１のサイトのサイト識別コードに対応する標識が表示された画面に対して前記任意の者が所定の操作をした場合に、前記第１のコンピュータが、前記任意の者に対して、前記画面において前記標識とともに表示されているハンドルネームに対応する会員の属性情報であって、前記第１のサイトの外部へ公開することを許可する旨が登録された情報を表示する属性情報表示工程をさらに含むことを特徴とする請求項１または２に記載のサイト連携方法。
【請求項４】
前記第１のサイトは、宣伝活動が禁止されているサイトであり、前記第２のサイトは、宣伝活動が許可されているサイトであることを特徴とする請求項１〜３のいずれか１つに記載のサイト連携方法。